(57)【要約】【課題】実視野全体を確認しながら所望の撮影範囲を撮影することができる携帯情報端末を提供すること。【解決手段】撮影光学系を有する撮像手段により撮像される画像をデジタルデータの画像情報に変換し、該画像情報を記憶媒体に記憶して保存するデジタルカメラ１０が、撮像手段により撮像できる撮像範囲の画枠を規定する画枠電子画像を表示する画像表示部２０と、画像表示部２０からの光を反射するとともに撮影者の視線方向の実視野からの光を透過するコンバイナー３０と、を具備する構成とした。【選択図】図１
2006148818.tif 000002
【特許請求の範囲】
【請求項１】
撮影光学系を有する撮像手段により撮像される画像をデジタルデータの画像情報に変換し、該画像情報を記憶媒体に記憶して保存する携帯情報端末であって、
前記撮像手段により撮像できる撮像範囲の画枠を規定する画枠電子画像を表示する画像表示部と、
該画像表示部からの光を反射するとともに撮影者の視線方向の実視野からの光を透過する半透過型光学素子と、
を具備して構成したことを特徴とする携帯情報端末。
【請求項２】
前記画像表示部が、前記半透過型光学素子へ向けて前記画枠電子画像を表示する表面表示部と、該表面表示部の背面側に前記画像情報を表示する背面表示部とを備えた両面表示構造であることを特徴とする請求項１に記載の携帯情報端末。
【請求項３】
前記電子画枠画像がパララックス補正されることを特徴とする請求項１または２に記載の携帯情報端末。
【発明の詳細な説明】
【技術分野】
【０００１】
本発明は、静止画や動画を撮影できるデジタルカメラ機能を備えている携帯情報端末に係り、特に、実視野中に撮影可能範囲を表示して所望の撮影範囲を撮影できるデジタルカメラ及び携帯情報端末に関する。
【背景技術】
【０００２】
近年、従来の銀塩カメラに代わり、ＣＣＤやＭＯＳなどの光に反応する半導体素子を使って映像を電気信号に変換し、デジタルデータとしてフラッシュメモリなどの記憶媒体に記憶するデジタルカメラが広く普及している。このようなデジタルカメラとして、従来より一眼レフタイプのデジタルカメラが知られている。（例えば、特許文献１参照）
しかしながら、このような一眼レフタイプのデジタルカメラは、撮影光学系（レンズ→ＣＣＤ）とファインダ光学系とを共用するため、レンズ配置などカメラ構成が複雑になるという問題を有している。また、ファインダにより視界が物理的に制限されるため、撮影時の視界が狭くなるという問題もある。さらに、ファインダを介した視野には光学的な変倍を受けるので、実際の視野とは異なるものを見ているという問題がある。
【０００３】
一方、電子ビューファインダ（液晶画面）を備えたデジタルカメラにおいては、光学ファインダを廃止したものが知られている。
しかしながら、このようなデジタルカメラの場合、実視野中の撮影範囲以外の部分は、ファインダ越しに確認することができないという問題がある。さらに、撮影方向と視野方向とが一致しないという問題もある。
従来、これらの問題を解決するために、光学ファインダ光学系と、電子ビューファインダ光学系とを設け、ハーフミラーでそれぞれの光学系を切り替えられるようにしたデジタルカメラが提案されている。（例えば、特許文献２参照）
【特許文献１】特開平１１−８４４７９号公報
【特許文献２】特開２００３−２８３８８６号公報（図２及び段落番号〔００１２〕〜〔００２１〕等を参照）
【発明の開示】
【発明が解決しようとする課題】
【０００４】
しかし、上述した特許文献２に記載のデジタルカメラでは、ファインダにより物理的に視界が制限されるという問題は解消されず、しかも、実視野の風景と、電子ビューファインダで表示された電子画像とを重畳して表示するものではない。
このような背景から、広範な実視野の観察範囲を自然に観察することができ、しかも、広範な観察範囲を対比しながら撮像範囲を容易に特定できるデジタルカメラ及びデジタルカメラ機能を備えた携帯情報端末の開発が望まれる。
【０００５】
本発明は、上記の事情に鑑みてなされたものであり、その目的とするところは、実視野全体を確認しながら所望の撮影範囲を撮影することができ、特に、広範な観察範囲を自然に観察することができ、しかも、広範な観察範囲を対比しながら撮像範囲を特定できるデジタルカメラ機能を備えた携帯情報端末を提供することにある。
【課題を解決するための手段】
【０００６】
本発明は、上記の課題を解決するため、下記の手段を採用した。
請求項１に係る発明は、撮影光学系を有する撮像手段により撮像される画像をデジタルデータの画像情報に変換し、該画像情報を記憶媒体に記憶して保存する携帯情報端末であって、前記撮像手段により撮像できる撮像範囲の画枠を規定する画枠電子画像を表示する画像表示部と、該画像表示部からの光を反射するとともに撮影者の視線方向の実視野からの光を透過する半透過型光学素子と、を具備して構成したことを特徴とするものである。
また、本発明の携帯情報端末は、デジタルカメラ単体は勿論のこと、デジタルカメラ機能を備えた携帯電話機等の機器類を包含する。
なお、この場合の画枠電子画像は、デジタルカメラ側でなされるズーム等の操作に応じて適宜変化するものである。
【０００７】
このような携帯情報端末とすれば、撮像手段により撮像できる撮像範囲の画枠を規定する画枠電子画像を表示する画像表示部と、画像表示部からの光を反射するとともに撮影者の視線方向の実視野からの光を透過する半透過型光学素子と、を具備して構成されているので、撮影者は半透過型光学素子を通して広範な観察範囲（外界像の実像）を自然に観察し、その実視野には画像表示部に表示された画枠電子画像の虚像が重畳される。従って、撮影者は、半透過型光学素子を通して見る実視野に重畳される画枠電子画像の虚像が画枠を規定するので、所望の撮像範囲を容易に認識して撮像することができる。
【０００８】
上記の携帯情報端末においては、前記画像表示部が、前記半透過型光学素子へ向けて前記画枠電子画像を表示する表面表示部と、該表面表示部の背面側に前記画像情報を表示する背面表示部とを備えた両面表示構造であることが好ましく、これにより、画枠電子画像の表示に加えて、撮影者は、必要に応じて背面表示部に表示される画像情報（たとえば撮影画像等）を得ることができる。
【０００９】
上記の携帯情報端末においては、前記電子画枠画像がパララックス補正されることが好ましく、これにより、撮像手段の撮影レンズ位置により生じる視差を補正した画枠電子画像の表示が可能となる。
【発明の効果】
【００１０】
上述した本発明の携帯情報端末によれば、デジタルカメラ機能を利用する撮影者は、コンバイナーのような半透過型光学素子を通して広範な観察範囲の実像を自然に観察し、その実視野に重畳される画枠電子画像の虚像により所望の撮像範囲（画枠）を容易に認識して撮像することができるので、従来のファインダーを通した撮影とは異なり、撮像対象を直接見ながら所望の撮像範囲を直感的に設定して撮影することができる。
また、撮影時においては、電子ビューファインダに撮影光学系で撮像された映像を逐次連続的に表示する場合と異なり、液晶画面等の画像表示部には画枠電子画像のみを表示すればよいので、電力消費量を最小限に抑えることができる。
【発明を実施するための最良の形態】
【００１１】
以下、本発明に係る携帯情報端末の一実施形態を図面に基づいて説明する。
図１及び図２は、本発明に係る携帯情報端末の一例としてデジタルカメラの構成例を示す外観斜視図であり、図１（ａ）は撮影時の状態、図１（ｂ）は撮影時の画枠表示例、図２は非撮影時の格納状態を示している。
デジタルカメラ１０は、各種レンズ等を組み合わせた撮影光学系を介して撮像する画像（静止画または動画）をＣＣＤやＭＯＳ等の半導体素子（撮像手段）を介してデジタルデータの画像情報に変換し、この画像情報をフラッシュメモリ等の記憶媒体に記憶して保存するように構成されている。デジタルカメラ１０の本体１１には、撮影時に本体１１から取り出して使用する開閉式の画像表示装置２０及び半透過型光学素子であるコンバイナー３０が設けられている。このように構成されたデジタルカメラ１０は、図３及び図４に示すように、画像表示装置２０及びコンバイナー３０を開き、本体適所を撮影者の側頭部に押し当てた状態でコンバイナー３０を通して撮影対象を見ながら撮影する。
【００１２】
本体１１は、撮影光学系を有する半導体素子、電池（電源）、各種制御機構及び制御基板等を内蔵した筐体１２の外部に、撮影光学系を構成する撮影レンズ１３の他、シャッタースイッチ１４、ズーム操作部１５ａ，１５ｂ及び電源スイッチ１６等、各種の操作スイッチ類を備えている。図示の例では、左右どちらの手でも操作できるようにするため、シャッタースイッチ１４及びズーム操作部１５ａ，１５ｂを本体１１の上下両側面部に設けてあるが、図１（ａ）には左手操作用が示されている。このような本体１１に対し、撮影時には略Ｚ字状に開いて使用する画像表示装置２０及びコンバイナー３０が揺動自在に取り付けられている。
なお、図示の画像表示装置２０及びコンバイナー３０は、格納状態で本体１１を貫通する開口部１１ａの空間部に収納され、それぞれが矩形状とした短辺側の一辺を本体１１に軸支されて揺動による開閉動作が可能とされる。
【００１３】
画像表示装置２０は、撮影レンズ１３を介して撮像手段により撮像される撮像範囲の画枠を規定するため、撮像可能な撮影範囲の画枠電子画像を表示面２１に表示する画像表示部であり、たとえば液晶表示パネル（ＬＣＤ）や有機ＥＬ表示パネル等のいわゆる薄型ディスプレイが用いられる。この画像表示装置２０は、たとえば本体１１に軸支されている支持部材２２に固定され、その表示面２１は、後述するコンバイナー３０と格納状態で対向する面に、すなわち筐体１２の内側に向けられている。
表示面２１に表示される画枠電子画像は、ズーム操作部１５ａ，１５ｂ等の操作に連動して、たとえば広角撮影時のように広範囲の被写体を撮像するワイドな遠景撮影から、所望の被写体をズームアップする望遠撮影時まで、撮影者のズーミング操作に応じて変化する撮像範囲が画像表示装置２０に表示されたものである。
【００１４】
ここで表示する画枠電子画像は、たとえば図５に示すように、一対の画枠線Ｌ１１，Ｒ１１により画枠の上下及び左右を規定する。この画枠線Ｌ１１，Ｒ１１は、間隔をもって対向する平行な左右一対の鉛直線と、その両端部から中央側へ向けて直角に延びる水平線とを表示したものであり、撮影者は、画枠線Ｌ１１，Ｒ１１に囲まれた矩形の領域を画枠として認識することができる。なお、図示の画枠線Ｌ１１，Ｒ１１については、水平線の中央部は分断されているが、左右の鉛直線を連結する水平線とすることで完全な矩形の画枠を表示してもよい。
また、上述した一対の画枠線Ｌ１１，Ｒ１１は広角撮影時の最大画枠を示しており、撮影者がズーミング操作することにより、表示面２１の中心部側へ向けて、図中に想像線で示す画枠線Ｌ１２，Ｒ１２、Ｌ１３，Ｒ１３のように上下及び左右の四方向が段階的に変化して、あるいは無段階の連続した変化をして、最もズームアップした最小画枠の画枠線Ｌ１３，Ｒ１３まで縮小するようになっている。なお、このような画枠変化は、見える範囲と写る範囲とのズレを補正しない場合、すなわちパララックス補正を行わない場合である。
【００１５】
ところで、上述した画像表示装置２０は、図６に示すように、両面に液晶表示パネル等の表示面を備えた両面表示構造とされる。図示の例では、コンバイナー３０へ向けて画枠電子画像を表示する表側の表示面（以下、「表面表示部」と呼ぶ）２１と、この表面表示部２１の背面側に配設された背面表示部２３とを備えている。この場合の背面表示部２３は、撮像した画像情報や記憶媒体に保存されている画像情報等を表示するものであり、従って、撮影者はデジタルカメラ１０の背面表示部２３を用い、必要に応じてその場で各種の画像情報を見ることができる。
ここで両面表示構造の具体例として、表示面が液晶表示パネルの場合を図６（ｂ）の断面図に基づいて簡単に説明する。この画像表示装置２０では、たとえば表面表示部２１と背面表示部２２との間に、液晶表示パネルのバックライトとして機能する一対の導光部材２４，２５が配設され、両導光部材２４，２５の端部には、それぞれの光源としてたとえばＬＥＤ等の発光体２６，２７が設けられている。
なお、画像表示装置２０は、図示しないヒンジ等を用い、本体１１に対して揺動自在に軸支されている。
【００１６】
コンバイナー３０は、画像表示装置２０からの光、すなわち画像表示装置２０の表面表示部２１に表示される画像の光を反射するとともに、撮影者の視線方向の実視野からの光を透過する半透過型光学素子である。換言すれば、コンバイナー３０は、少なくとも１面に自由曲面（３次元非球面）を有し、実視野となる外界像（実像）を透過するとともに、画像表示装置２０に表示された画枠電子画像を光学的に虚像として投影し、外界像の実像に画枠電子画像の虚像を重畳的に表示する半透過型光学素子である。
【００１７】
ここで、図４に基づいてコンバイナー３０の構成を具体的に説明する。
このコンバイナー３０は、格納状態で表面表示部２１と対向する面に凹曲面状の反射面３１を有する部材であって、撮影時には、この反射面３１と表面表示部２１とが略対向し、かつ、本体１１とともに略Ｚ字状を形成するように開かれている。この撮影状態では、開口部１１ａを通じて画像表示装置２０の表面表示部２１から斜め前方へ向けて画枠電子画像の光が出され、この光（画枠電子画像）は、反射面３１によって本体１１の後端部側（撮影者の頭部側）へ向けて反射される。
【００１８】
この反射面３１は凹面鏡として機能するため、本体１１の後端部側となる側面を撮影者の頭側部に押し当てた撮影状態では、コンバイナー３０の前方に、すなわち、撮影者から見てコンバイナー３０よりも遠方に、画枠電子画像の虚像が結像して表示される。
また、コンバイナー３０において、反射面３１が形成される領域は、撮影者の実視界からの光を透過させる構成とされるため、撮影者は、コンバイナー３０を通して視線方向遠方の景色を実像として視認できるようになっている。
【００１９】
本実施形態では、コンバイナー３０は、アクリルやポリカーボネート等の透明な材質からなる略長方形の曲面板状部材であって、その片面側に形成された金属膜等の反射層がハーフミラーとして機能する。この反射層の表面が、画像表示装置２０の表面表示部２１から入射した画枠電子画像等の光線を表面で反射させる反射面３１となる。
なお、コンバイナー３０は、図示しないヒンジ等を用い、本体１１に対して揺動自在に軸支されている。
【００２０】
図７は上述したデジタルカメラ１０の制御系を示すブロック図であり、本体１１内の制御部４０は、撮影者が操作するシャッタースイッチ１４、ズーム操作部１５ａ，１５ｂ、電源スイッチ１６及びモードスイッチ１７の他、上述した画像表示部２０、電源４１、通信部４２、撮影光学系を有する半導体素子の撮像部４３及び記憶媒体よりなる記録部４４と接続されている。なお、モードスイッチ１７は、撮影者が複数設定されている撮影モードの中から所望のモードを選択する操作を行うものである。
【００２１】
さて、上述したデジタルカメラ１０の撮影状態では、撮影者がコンバイナー３０を通して自然に見ることができる実視界の実像に対し、表面表示部２１に表示される画枠電子画像の虚像が重畳される。このため、撮影者は、実視界にある撮像対象の実像と、撮像可能範囲を示す画枠の虚像とを同時に見ながら撮影範囲を定めて撮影することができる。すなわち、撮影者は、実視野中に実際の撮影可能範囲の画枠を重畳して撮影できるようになるので、撮影対象及びその周辺を含む実視野全体を自然に観察及び確認しながら、ズーミング操作等に応じて変化する画枠により所望の撮影範囲を容易に設定して撮影することができる。換言すれば、広範な撮像対象及びその周辺の実視界を自然に見ながら所望の撮像範囲を容易に定め、あたかも実視界から画枠により所望の撮影範囲を切り取るようにして、撮影対象を直感的に撮影することができる。
【００２２】
また、撮影時においては、制御部４０が図８に示すフローチャートのように画枠変更の制御を行うことにより、画像表示部２０の表面表示部２１に表示される画枠電子画像が変更されるので、広角撮影時から望遠撮影時まで虚像表示の画枠も変動する。
図８のフローチャートにおいて、最初のステップＳ１で撮影者がズーム操作を行うと、次のステップＳ２では、ズーム操作部１５ａ，１５ｂから制御部４０に入力されたズーム操作の操作信号に基づいて、ズーム操作に対応した大きさの画枠電子画像に変更される。すなわち、この画枠電子画像変更では、ズーム操作に伴って変化する撮影可能範囲と一致するよう画枠を拡大または縮小する。
【００２３】
こうして規定された画枠電子画像は、たとえば図１（ｂ）に示すように、コンバイナー３０を通して撮影者の実視野に重畳される。この場合、撮影者に見える画枠は、図５に示した表面表示部２１の画枠線Ｌ１１，Ｒ１１が左右反転した虚像の画枠線Ｌ１１′，Ｒ１１′となり、実視界の実像に重畳されている。
この状態で所望の撮影範囲と画枠とが一致した場合、撮影者はシャッタースイッチ１４を押して撮影操作を実施することになるが、ステップＳ３ではこのようなシャッター操作の有無を判断する。そして、シャッター操作がなされた「ＹＥＳ」の場合には、次のステップＳ４に進んで撮像した後、さらにステップＳ５に進んで撮像した画像を記録部４４に記録して保存する。一方、ステップＳ３でシャッター操作がなされていない「ＮＯ」の場合には、最初のステップＳ１に戻って撮影者が再度のズーム操作を行い、以後同様に上述したステップＳ２以降を繰り返す。
【００２４】
また、図５に示した実施形態の画枠線Ｌ１１，Ｒ１１を表示した電子画枠画像は、視差を解消するパララックス補正を行わないものであったが、たとえば図９ないし図１４に示すように、本体１１の先端面１１ｂに設けられた撮影レンズ１３の位置に応じて制御部４０内でパララックス補正を行い、視差によるズレのない撮影範囲の画枠電子画像を表示することが好ましい。
ここで、図９に示した第１変形例は、図９（ａ）に示すように撮影レンズ１３が先端面１１ｂの上下方向中心位置にあり、この場合にパララックス補正した画枠線Ｌ１２ａ，Ｌ１３ａ，Ｌ１４ａの画枠電子画像が図９（ｂ）に想像線で示されている。この画枠線Ｌ１２ａ，Ｌ１３ａ，Ｌ１４ａは、所望の対象をズーミングする操作に伴い、上下方向の中心線に沿って、表面表示部２１の右側から左側へ上下対称に縮小している。すなわち、この場合の撮影可能範囲を示す画枠線Ｌ１２ａ，Ｌ１３ａ，Ｌ１４ａは、表面表示部２１の上下方向中心線に沿って、右側から左側へ徐々に画枠を縮小しながら移動している。
【００２５】
図１０は、撮影レンズ１３を先端面１１ｂの上下方向中心位置に設ける場合について、具体的な設置例を示す斜視図である。ここで、（ａ）は先端面１１ｂの幅方向中心部に配設した設置例、（ｂ）は先端面１１ｂの上下方向中心位置で撮影レンズ１３の約半分が幅方向へ突出した設置例、（ｃ）は撮影レンズ１３の略全体が幅方向へ突出した設置例であり、いずれの場合も図９に示したようなパララックス補正を実施することが好ましい。
【００２６】
また、図１１に示した第２変形例は、図１１（ａ）に示すように撮影レンズ１３が先端面１１ｂの上方位置にあり、この場合にパララックス補正した画枠線Ｌ１２ｂ，Ｌ１３ｂ，Ｌ１４ｂの画枠電子画像が想像線で示されている。この画枠線Ｌ１２ｂ，Ｌ１３ｂ，Ｌ１４ｂは、所望の対象をズーミングする操作に伴い、画枠の上端位置を一定にして、表面表示部２１の右側から左側上方に縮小されている。すなわち、この場合の撮影可能範囲を示す画枠線Ｌ１２ｂ，Ｌ１３ｂ，Ｌ１４ｂは、表面表示部２１の上端部に沿って、右側から左側上方へ徐々に画枠を縮小しながら移動している。
【００２７】
図１２は、撮影レンズ１３を先端面１１ｂの上下方向上端部側に設ける場合について、具体的な設置例を示す斜視図である。ここで、（ａ）は先端面１１ｂの幅方向中心となる上端部に配設した設置例、（ｂ）は先端面１１ｂの幅方向中心位置で撮影レンズ１３の約半分が上方へ突出した設置例、（ｃ）は撮影レンズ１３の略全体が上方へ突出した設置例であり、いずれの場合も図１１に示したようなパララックス補正を実施することが好ましい。
【００２８】
さらに、図１３に示した第３変形例は、図１３（ａ）に示すように撮影レンズ１３が先端面１１ｂの下方位置にあり、この場合にパララックス補正した画枠線Ｌ１２ｃ，Ｌ１３ｃ，Ｌ１４ｃの画枠電子画像が想像線で示されている。この画枠線Ｌ１２ｃ，Ｌ１３ｃ，Ｌ１４ｃは、所望の対象をズーミングする操作に伴い、画枠の下端位置を一定にして、表面表示部２１の右側から左側下方に縮小されている。すなわち、この場合の撮影可能範囲を示す画枠線Ｌ１２ｃ，Ｌ１３ｃ，Ｌ１４ｃは、表面表示部２１の下端部に沿って、右側から左側下方へ徐々に画枠を縮小しながら移動している。
【００２９】
図１４は、撮影レンズ１３を先端面１１ｂの上下方向下端部側に設ける場合について、具体的な設置例を示す斜視図である。ここで、（ａ）は先端面１１ｂの幅方向中心となる下端部に配設した設置例、（ｂ）は先端面１１ｂの幅方向中心位置で撮影レンズ１３の約半分が下方へ突出した設置例、（ｃ）は撮影レンズ１３の略全体が下方へ突出した設置例であり、いずれの場合も図１３に示したようなパララックス補正を実施することが好ましい。
【００３０】
また、図１５に示す第４変形例では、撮影レンズ１３を画像表示装置２０に設置した構成例が示されている。この場合の撮影レンズ１３は、画像装置２０の上下方向において略中央に配置されているので、上述した図９と同様のパララックス補正を行うことが好ましい。なお、撮影レンズ１３を画像表示装置２０に設置する場合においても、上下方向の中央部に限定されることはなく、たとえば上端部側や下端部側に設置し、それぞれに対応したパララックス補正を実施することが好ましい。
【００３１】
また、第２の実施形態を示す図１６においては、デジタルカメラ１０Ａのズーム操作部１５ａ′，１５ｂ′が本体１１′を構成する筐体１２′の後端面に設けられている。このような配置とすれば、撮影時に必要となるズーム操作部１５ａ′，１５ｂ′を左手操作及び右手操作に共用できるようになる。なお、このデジタルカメラ１０Ａは、画像表示装置２０Ａに背面表示部２３を設置しない場合の構成例が示されている。
【００３２】
以上説明したように、本発明のデジタルカメラによれば、撮影者は、コンバイナー３０等の半透過型光学素子を通して広範な観察範囲の実像を自然に観察し、コンバイナー３０を通して見る実視野に重畳される画枠電子画像の虚像により所望の撮像範囲（画枠）を容易に認識して撮像することができるので、従来のファインダーを通した撮影とは異なり、撮像対象を直接見ながら所望の撮像範囲を直感的に設定して撮影することができる。
また、撮影時においては、画像表示部２０には画枠線の画枠電子画像のみを表示すればよいので、電力消費量が最小限に抑えられて経済的なデジタルカメラを提供することができる。
【００３３】
また、上述したデジタルカメラと同様の機能は、たとえばデジタルカメラ機能を備えた携帯電話機等のような携帯情報端末にも適用することが可能である。
なお、本発明は上述した実施形態に限定されるものではなく、本発明の要旨を逸脱しない範囲内において適宜変更することができる。
【図面の簡単な説明】
【００３４】
【図１】本発明に係る携帯情報端末の一例としてデジタルカメラの第１の実施形態を示す図で、（ａ）は撮影状態を示す外観斜視図、（ｂ）はは撮影時における画枠表示例を示す図である。
【図２】図１（ａ）のデジタルカメラについて、非撮影時の格納状態を示す外観斜視図である。
【図３】図１（ａ）のデジタルカメラを用いて撮影者が撮影している状態を示す斜視図である。
【図４】図１（ａ）のデジタルカメラに関する半透過型光学素子による画枠表示の説明図である。
【図５】図１（ａ）のデジタルカメラにおいて、画像表示部に表示される画枠電子画像の一例を示す図である。
【図６】図１（ａ）のデジタルカメラに採用された両画面構造の画像表示部を示しており、（ａ）は外観斜視図。（ｂ）は（ａ）のＡ−Ａ断面図である。
【図７】第１の実施形態に示したデジタルカメラのブロック図である。
【図８】図７の制御部における画枠変更のフローチャートである。
【図９】画像表示部に表示される画枠電子画像についてパララックス補正を行った場合を示す第１変形例であり、（ａ）は先端面の撮影レンズ位置を示す図、（ｂ）はパララックス補正の説明図である。
【図１０】図９に示すパララックス補正を適用可能な撮影レンズの設置例を示す概略構成図であり、（ａ）は中央部に配置した例を示す斜視図、（ｂ）は撮影レンズの略半分を幅方向へ突出させて配置した例を示す斜視図、（ｃ）は撮影レンズの略全体を幅方向へ突出させて配置した例を示す斜視図である。
【図１１】画像表示部に表示される画枠電子画像についてパララックス補正を行った場合を示す第２変形例であり、（ａ）は先端面の撮影レンズ位置を示す図、（ｂ）はパララックス補正の説明図である。
【図１２】図１１に示すパララックス補正を適用可能な撮影レンズの設置例を示す概略構成図であり、（ａ）は上端部に配置した例を示す斜視図、（ｂ）は撮影レンズの略半分を上方へ突出させて配置した例を示す斜視図、（ｃ）は撮影レンズの略全体を上方へ突出させて配置した例を示す斜視図である。
【図１３】画像表示部に表示される画枠電子画像についてパララックス補正を行った場合を示す第３変形例であり、（ａ）は先端面の撮影レンズ位置を示す図、（ｂ）はパララックス補正の説明図である。
【図１４】図１３に示すパララックス補正を適用可能な撮影レンズの設置例を示す概略構成図であり、（ａ）は下端部に配置した例を示す斜視図、（ｂ）は撮影レンズの略半分を下方へ突出させて配置した例を示す斜視図、（ｃ）は撮影レンズの略全体を下方へ突出させて配置した例を示す斜視図である。
【図１５】第４変形例として撮影レンズを画像表示装置に設置した構成例を示す斜視図である。
【図１６】本発明に係るデジタルカメラについて、第２の実施形態を示す撮影状態の外観斜視図である。
【符号の説明】
【００３５】
１０，１０Ａ    デジタルカメラ
１１，１１′    本体
１１ａ    開口部
１２，１２′    筐体
１３    撮影レンズ
１４    シャッタースイッチ
１５ａ，１５ａ′，１５ｂ，１５ｂ′    ズーム操作部
２０，２０Ａ    画像表示装置（画像表示部）
２１    表面表示部（表示面）
２３    背面表示部
３０    コンバイナー（半透過型光学素子）
３１    反射面
【図１】
2006148818.tif 000003
【図２】
2006148818.tif 000004
【図３】
2006148818.tif 000005
【図４】
2006148818.tif 000006
【図５】
2006148818.tif 000007
【図６】
2006148818.tif 000008
【図７】
2006148818.tif 000009
【図８】
2006148818.tif 000010
【図９】
2006148818.tif 000011
【図１０】
2006148818.tif 000012
【図１１】
2006148818.tif 000013
【図１２】
2006148818.tif 000014
【図１３】
2006148818.tif 000015
【図１４】
2006148818.tif 000016
【図１５】
2006148818.tif 000017
【図１６】
2006148818.tif 000018